(57)【要約】【課題】  立ち姿勢のもとに操作腕体に対する連続的かつ単純な引き寄せ操作だけで、草を挟持した状態のもとに引き抜くことができる草取り器具を提供すること。【解決手段】  地面に当接する支台１を設けてその前端に前向きで拡縮する挾持部２を設けるほか、作業者の立ち姿勢における腰付近までの高さの操作腕体４を下端において支台１の前端に枢着し、上端のグリップ３への操作により操作腕体４を旋回させるように設け、かつ操作腕体４の下端寄り部分と前記挾持部２とをリンク伝動機構７により連結して、操作腕体４の浅い進退動に連動して挾持部２を開閉すると共に、操作腕体４の深い後退動に伴い支台１の後端を支点として挾持部２を引き上げるようにし構成し、挾持部２を開いて草の根本にあてがった後、グリップ３を手前に引き寄せ後退させ、その操作の前段においては草を挟持し、後段においては「てこ」作用のもとに草を引き抜くようにしたことを特徴とする。【選択図】図１
2011135857.tif 000002
【特許請求の範囲】
【請求項１】
地面に当接する支台（１）を設けてこの支台（１）の前端に、前向きに拡開することができる拡縮型の挾持部（２）を設けるほか、支台（１）の前端寄り部分には作業者の立ち姿勢における腰付近までの高さを有すると共に、上端にグリップ（３）がある操作腕体（４）をその下端において支台前端付近の取付座（５）に支軸（６）により左右軸線のもとに枢止し、かつ操作腕体（４）の下端寄り部分と挾持部（２）とをリンク伝動機構（７）により連結して、操作腕体（４）に対する引き寄せによる浅い旋回操作により、リンク伝動機構（７）の介在のもとに挾持部（２）を閉縮することができるようにし、操作腕体（４）に対する更なる旋回操作により、支台（１）の後端を支点として支台（１）自体の前端を上方へ旋回させ、挾持部（２）を上方へ旋回させることができるようにしたことを特徴とする草取り器具。
【請求項２】
挾持部（２）として固定挾持片（２ａ）と可動挾持片（２ｂ）とから構成し、可動挾持片（２ｂ）を支台（１）に枢着すると共に、可動挾持片（２ｂ）の受動部（１０）と操作腕体（４）とをリンク伝動機構（７）により連結した請求項１に記載の草取り器具。
【請求項３】
可動挾持片（２ｂ）に隣接するリンク（１０）の両端における枢止部として、側方への揺動を許容する揺動可能型枢止構造を採択した請求項１または請求項２に記載の草取り器具。
【請求項４】
可動挾持片（２ｂ）に隣接するリンク（１０）の両端における枢止部に球継手を採択した請求項１または請求項２に記載の草取り器具。
【発明の詳細な説明】
【技術分野】
【０００１】  本発明は、庭等に不必要に生える雑草を抜き取るのに好適な草取り器具に関するものであって、立ち姿勢のまま単純な操作により、草の根本部分を挟持した状態のもとに、容易に引き抜くことができるようにした草取り器具に関するものである。
【背景技術】
【０００２】  この種の従来の草取り器具としては、例えば特許文献１、特許文献２および特許文献３等の多数の先行技術が存在する。【０００３】  上記諸先行技術においては、いずれも草を挾持するための操作と、草を引き抜くための操作とを各別に行う必要があるばかりでなく、引き抜き操作用の主操作腕体とは別に、草を挾持するための操作用として、挾持ハンドルあるいは挾持レバー等の補助操作部材を主操作腕体の上端に設けると共に、補助操作部と離隔した草の挾持部との間に、連動機構を設ける必要があり、概ね構造が複雑かつ操作が煩瑣である等の欠点がある。
【先行技術文献】
【特許文献】
【０００４】
【特許文献１】  実用新案登録第３１５０７８０号
【特許文献２】  特開２００４−３４４１１２
【特許文献３】  特許第４１４０２９５号
【発明の概要】
【発明が解決しようとする課題】
【０００５】  従来技術においては、種類の異なる操作を行う必要があるほか、装備の構造が複雑であり、しかも上端の補助操作部と下端における草の挾持部とが離隔している関係上、両者間の連動機構の調整が煩瑣であることに鑑み、本発明は、立ち姿勢のもとに操作腕体に対する連続的かつ単純な引き寄せ操作だけで、草を挟持した状態のもとに引き抜くことができる草取り器具を提供することを目的とする。
【課題を解決するための手段】
【０００６】  上記目的を達成するため本発明は、地面に当接する支台を設けてこの支台の前端に前向きのまま拡縮する挾持部を設けるほか、前端寄り部分に作業者の立ち姿勢における腰付近までの高さがある操作腕体をその下端付近において枢着したまま、上端のグリップの進退操作により操作腕体を旋回させることができるように設け、かつ前記操作腕体の下端寄り部分と前記挾持部とをリンク伝動機構により連結して、操作腕体の浅い進退動に連動して挾持部を開閉すると共に、操作腕体の深い後退動に伴い支台の後端を支点として挾持部を引き上げるようにし構成し、これにより操作腕体の前方への進出により挾持部を開いた状態でその開口部を草の根本にあてがった後、グリップを手前に引き寄せ後退させることにより、その操作の前段においては草を挟持し、後段においては「てこ」作用のもとに草を引き抜くことができるようにしたことを特徴とする。
【発明の効果】
【０００７】  本発明によれば、立ち姿勢のもとに操作腕体に対する単一の引き寄せ操作により、草の挟持動作とこれに引き続く引き抜き動作とを連続的に容易に行うことができるばかりでなく、構造が簡単であるから、製造コストが安価であり、かつ装備の保全も容易である。
【図面の簡単な説明】
【０００８】
【図１】  本発明草取り器具の一実施形態を示す挾持部が開いた状態の一部破断側面図である。
【図２】  図１の一部破断平面図である。
【図３】  図１における挾持部が閉じた状態の要部を示す一部破断側面図である。
【図４】  図３の一部破断平面図である。
【図５】  図３の状態から草を引き抜く過程を示す側面図である。
【図６】  他の実施形態を示し、挾持部が開いた状態の一部破断側面図である。
【図７】  図６の一部破断平面図である。
【発明を実施するための形態】
【０００９】  以下、本発明を図示の実施形態について詳細に説明する。例えば図１ないし図４のように、前後方向の寸法が１０〜２５ｃｍの板状の支台１を設けてこの支台１の前端に、拡縮する挾持部２を前向きの略Ｖ字状に拡開することができるように設けるほか、支台１の前端寄り部分には作業者の立ち姿勢における腰付近までの高さを有すると共に、上端にグリップ３がある操作腕体４をその下端において支台前端付近の取付座５に支軸６により左右軸線のもとに枢止し、かつ操作腕体４の下端寄り部分と挾持部２とをリンク伝動機構７により連結して、操作腕体４に対する旋回操作により、リンク伝動機構７の介在のもとに挾持部２を拡縮することができるようにする。
【００１０】  前期挾持部２としては、内向きに凹凸状の挾持歯がある固定挾持片２ａと、同じくに内向きに凹凸状の挾持歯がある可動挾持片２ｂとをそれら挾持歯が対向したまま接離することにより閉縮した挾持体制または前向きなＶ字状の拡開体制となるように構成するのであり、前記固定挾持片２ａはこれを支台１の前端に挾持歯部分が突出するように固定するほか、可動挾持片２ｂは略Ｌ字状に形成して一方の辺に挾持歯を形成すると共に、他の辺は支台１にピン８により竪軸線のもとに挾持歯が支台１から前方に突出するように枢止したまま、可動挾持片２ｂを旋回させた場合、可動挾持片２ｂの挾持歯と固定挾持片２ａの挾持歯とが前向きなＶ字状の拡開体制または閉縮した挾持体制となるように構成する。
【００１１】  リンク伝動機構７としては、Ｌ字状可動挾持片２ｂの屈曲部付近に上向きに突出する受動片９を設けると共に、この受動片９と前記操作腕体４の下端寄り部分との間に、後方に伸びるリンク１０およびリンク１１をピン１２，１３，１４によりＶ字形のもとに連結し、かつ別に支台１の後端寄り部分には取付座１５を設け、この取付座１５と前記両リンク１０およびリンク１１同士の枢止部すなわちピン１３部分に竪向きの規制リンク１６をピン１７により連結する。
【００１２】  上記構成のもとに、草を引き抜く作業に当たっては、図１および図２のような挾持部２が拡開体制のもとに、引き抜き対象の草の根本に拡開状態の挾持部２をあてがった後、操作腕体４のグリップ３を手前に引き寄せることにより、操作腕体４の下端寄り部分を押し下げるから、図３および図４のように両リンク１０およびリンク１１は規制リンク１６の規制のもとに後退し、従って可動挾持片２ｂを旋回させて固定挾持片２ａに接近させるから、両挾持片２ａおよび２ｂの挾持歯により草の根本部分を挾持し、引き続く操作腕体４の引き寄せ操作により、挾持部２による草を挾持したまま、図５のように支台１の後端を支点として支台１自体の前端を上方へ旋回させ、挾持部２と共に挾持した草を引き抜くことができる。
【００１３】  前記可動挾持片２ｂは水平を保つことが望ましいから、支台１には可動挾持片２ｂを規制するガイド１８を設けるのが適当である。なお、可動挾持片２ｂに連接するリンク１０は可動挾持片２ｂの旋回動により横方向に揺動することになるから、リンク１０の両端枢止部においては軸線方向への遊動を許容する遊び（所謂がた）を持たせるのがよい。
【００１４】  前記リンク１０の両端枢止部に遊びを保有させることなく、軸線方向への揺動を許容する枢止構造を採択してもよく、例えば実公昭４６−３８６５公報に記載の結合部のように、枢止部におけるリンク１０の側面に弾性を有する座金を介装し、望ましくは皿型頭部を有するピンを採用すればよい。
【００１５】  図６および図７の実施形態は、図１ないし図４の実施形態におけるリンク伝動機構７を簡単化したものであって、可動挾持片２ｂとリンク伝動機構７とを除く他の装備は、図１ないし図４の実施形態におけると性質的に異なるところがない関係上、同一部分に同一符号を付して説明は一部を省略する。
【００１６】  図６および図７の実施形態における可動挾持片２ｂは、略Ｌ字状に形成して一方の辺に挾持歯を形成すると共に、他の辺には受動部９を設け、かつ屈曲部付近において支台１にピン８により竪軸線のもとに挾持歯が支台１から前方に突出するように枢止したまま、可動挾持片２ｂを旋回させた場合、可動挾持片２ｂの挾持歯と固定挾持片２ａの挾持歯とが前向きなＶ字状の拡開体制または閉縮した挾持体制となるように構成する。
【００１７】  図６および図７の実施形態におけるリンク伝動機構７としては、可動挾持片２ｂにおける受動部９と操作腕体４の後端付近に設けた駆動部１９との間に単一のリンク１０を設けるのであって、リンク１０の両端の枢止部としては、ピンを使用することなく玉継手２０および２１を採択する。これにより伝動に際してリンク１０が側方へ搖動しても支障がなく、従って、操作腕体４の後方への旋回に伴い、リンク伝動機構７により可動挾持片２ｂを挟持方向へ旋回させ、固定挾持片２ａとの協働のもとに草を挾持することができる。
【符号の説明】
【００１８】１  支台
２  挾持部
２ａ  固定挾持片
２ｂ  可動挾持片
３  グリップ
４  操作腕体
５  取付座
６  支軸
７  リンク伝動機構
８  ピン
９  受動片
１０  リンク
１１  リンク
１２  ピン
１３  ピン
１４  ピン
１５  取付座
１６  規制リンク
１７  ピン
１８  ガイド
１９  駆動部
２０  玉継手
２１  玉継手
【図１】
2011135857.tif 000003
【図２】
2011135857.tif 000004
【図３】
2011135857.tif 000005
【図４】
2011135857.tif 000006
【図５】
2011135857.tif 000007
【図６】
2011135857.tif 000008
【図７】
2011135857.tif 000009